(57)【要約】【課題】種々のサイズの表示器に対応し得る表示器用簡易スタンドを提供する。【解決手段】予め所定の形状に打ち抜かれた板材を所定の折曲ラインに沿って折り曲げると共に、差込構造により組み立てられる表示器用簡易スタンドに関する。表示パネル３０の横方向に互いに離間して配置される一対のサイド壁１，１と、これら一対のサイド壁１，１が差し込まれるベース２とを備え、前記ベース２には、前記一対のサイド壁１，１のうちの少なくとも一方のサイド壁１を複数の位置で選択的に位置決め可能とするための差込孔２３ａ，２４ａ，２４ｂが前記横方向Ｙに離れた位置に複数設けられている。【選択図】        図１
0003119570.tif 000002
【実用新案登録請求の範囲】
【請求項１】
予め所定の形状に打ち抜かれた板材を所定の折曲ラインに沿って折り曲げると共に、差込構造により組み立てられる表示器用簡易スタンドであって、
表示パネルの横方向に互いに離間して配置される一対のサイド壁と、これら一対のサイド壁が差し込まれるベースとを備え、
前記ベースには、前記一対のサイド壁のうちの少なくとも一方のサイド壁を複数の位置で選択的に位置決め可能とするための差込孔が前記横方向に離れた位置に複数設けられている表示器用簡易スタンド。
【考案の詳細な説明】
【技術分野】
【０００１】
本考案は、表示器を支持する簡易スタンドに関するものである。
【背景技術】
【０００２】
たとえば、制御盤などに取り付ける表示器は、該制御盤に組み付ける前に、たとえばテーブル等の上に置かれて制御盤内の各機器に接続され、機器の不具合の有無の確認やソフトウエアのインストールなどが行われる。かかる表示器の背面には、多数のケーブルが接続されるため、前記の際には、表示器を起立させて支持するための簡易スタンドが必要となる。
そこで、従来より、かかる表示器を支持する表示器用簡易スタンドが提案されている（特許文献１）。
【特許文献１】特開２００２−２８１７  （図６）
【考案の開示】
【０００３】
従来のスタンドは、板材を組み上げた後、該板材に設けられた開口部に表示器を嵌め込むことにより、表示器を支持する。
しかし、前記開口部が一定の大きさであるため、当該開口部の大きさとは異なるサイズの表示器を嵌め込むことができない。
【０００４】
したがって、本考案の目的は、種々のサイズの表示器に対応し得る表示器用簡易スタンドを提供することである。
【０００５】
前記目的を達成するために、本考案の表示器用簡易スタンドは、予め所定の形状に打ち抜かれた板材を所定の折曲ラインに沿って折り曲げると共に、差込構造により組み立てられる表示器用簡易スタンドであって、表示パネルの横方向に互いに離間して配置される一対のサイド壁と、これら一対のサイド壁が差し込まれるベースとを備え、前記ベースには、前記一対のサイド壁のうちの少なくとも一方のサイド壁を複数の位置で選択的に位置決め可能とするための差込孔が前記横方向に離れた位置に複数設けられている。
【０００６】
本考案によれば、表示器のサイズに応じてサイド壁をベースの差込孔に差し込むことにより、種々のサイズの表示器を支持することができる。
【０００７】
なお、本考案の表示器用簡易スタンドが用いられる表示器としては、たとえば、液晶表示器等の他に、制御対象機器の動作状況を表示する表示機能と、該制御対象機器の動作を制御するための操作を行う操作機能とを有するものであればよい。
【考案を実施するための最良の形態】
【０００８】
実施例１：
つぎに、本考案の実施例１について図面に従って説明する。
図１〜図５は実施例１を示す。
図１（Ａ）および図１（Ｂ）に示すように、本表示器用簡易スタンドは、たとえば段ボールなどの板材からなる一対のサイド壁１およびベース２で構成されており、二点鎖線で示す、立った状態の液晶表示器３を支持する。
【０００９】
図２に示すように、前記一対のサイド壁１は、ベース２に固定されている。図１（Ａ）および図１（Ｂ）に示すように、表示器３は、その下部をサイド壁１によって支持されると共に、その裏面および前面下部をサイド壁１およびベース２に挟持される。
【００１０】
前記サイド壁１とベース２とは、差込構造により組み立てられる。図１（Ｂ）に示すように、一対のサイド壁１は、表示器３の表示パネル３０（図１（Ａ））の横方向Ｙに互いに離間して配置される。
【００１１】
図３に示すように、前記サイド壁１およびベース２は、予め所定の形状に打ち抜かれた前記板材からなる。サイド壁１およびベース２には、破線で示す折曲ラインＬ１〜６が形成されている。前記サイド壁１およびベース２は、折曲ラインＬ１〜６に沿って折り曲げないし折り重ねられて形成される。
なお、前記折曲ラインＬ１〜６は、たとえば、ミシン目や折り癖スジで形成され、一般に打抜き加工する際に形成される。
【００１２】
サイド壁１：
折り重ね前のサイド壁１には、２筋づつ形成された第１および第２折曲ラインＬ１，Ｌ２を介して、第１〜第３サイド板Ｓ１〜Ｓ３が互いに線対称に形成されている。
前記折り重ね前のサイド壁１から、サイド壁１を形成するには、まず、図４（Ａ）に示すように、第１折曲ラインＬ１に沿って、第１サイド板Ｓ１を第２サイド板Ｓ２に重ね合わせる。つぎに、重ね合わさせた第１および第２サイド板Ｓ１，Ｓ２を、図４（Ｂ）に示すように、第２折曲ラインＬ２に沿って、第３サイド板Ｓ３に重ね合わせる。
なお、第１および第２折曲ラインＬ１，Ｌ２は、前記２筋のラインを一対としてそれぞれ構成されているが、当該一対の２筋のライン間の幅は、段ボールの厚さ分を考慮して設定されている。
【００１３】
前記サイド壁１は、逆Ｌ字型に形成されており、サイド壁１の底辺の上下には、それぞれ第１および第２差込孔１１，１２が形成されている。
【００１４】
ベース２：
図３に示すように、折り曲げ前のベース２は、概ね方形に形成されており、その両端には、横方向Ｙに沿って、それぞれ複数の第３差込孔２３ａ，２３ｂおよび第４差込孔２４ａ，２４ｂが設けられている。前記横方向Ｙに略直交する縦方向Ｘには、互いに離間した第３〜第６折曲ラインＬ３〜Ｌ６が形成されている。
【００１５】
折り曲げ前のベース２を第３〜第６折曲ラインＬ３〜Ｌ６に沿ってそれぞれ折り曲げ、図５（Ａ）に示すように、側面が渦巻き状になるように形成する。かかる折り曲げにより、前記ベース２の渦巻き状の中心部分には第３差込孔２３ａ，２３ｂが位置し、渦巻き状の端部には第４差込孔２４ａ，２４ｂが位置する。
【００１６】
組み立て方法：
前述のように、サイド壁１およびベース２を形成した後、以下に説明するように、表示器３の大きさに合わせてベース２にサイド壁１を差し込み、本スタンドを組み立てる。
【００１７】
１０〜１２インチの表示器用；
１０〜１２インチの表示器に合わせて本スタンドを組み立てる場合には、図１（Ｂ）に示すように、ベース２の横方向Ｙの両端に形成された第３および第４差込孔２３ａ，２４ａに、サイド壁１の第１および第２差込孔１１，１２を差し込む。前記第３および第４差込孔２３ａ，２４ａと、第１および第２差込孔１１，１２とは、概ね直交するように差し込まれ、いわゆる「相欠き継ぎ」の状態で互いに嵌合する。
したがって、図５（Ｂ）に示すように、一対のサイド壁１，１は、ベース２の横方向Ｙの両端の近傍にそれぞれ固定される。
【００１８】
５インチの表示器用；
５インチの表示器に合わせて本スタンドを組み立てる場合には、図５（Ｃ）に示すように、ベース２の横方向Ｙの中央寄りに形成された第３差込孔２３ｂと第４差込孔２４ｂ（図３）に、それぞれサイド壁１の第１および第２差込孔１１，１２を差し込み固定する。
したがって、一対のサイド壁１，１は、ベース２の横方向Ｙの中央寄りにそれぞれ固定される。
【００１９】
７〜８インチの表示器用；
７〜８インチの表示器に合わせて本スタンドを組み立てる場合には、図５（Ｄ）または図５（Ｅ）に示すように、一方のサイド壁１をベース２の横方向Ｙの端部に固定すると共に、他方のサイド壁１をベース２の中央寄りに固定する。
【００２０】
このように、サイド壁１を複数の位置で選択的に位置決めすることにより、種々のサイズの表示器３を支持することができる。
【００２１】
ここで、たとえば５インチの表示器は、通常、他のサイズの表示器よりも奥行が大きい。かかる表示器を支持する場合には、図２の矢印で示すように、サイド壁１の表示器３に当接する部位を、破線で示す第７折曲ラインＬ７に沿って折り曲げて用いる。
【００２２】
なお、図６に示すように、ベース２の横方向Ｙの両端の第３および第４差込孔２３ａ，２４ａと、中央寄りの第３および第４差込孔２３ｂ，２４ｂとの間に、別途、７〜８インチの表示器３に対応する差込孔２３ｃ，２４ｃを形成してもよい。
【００２３】
実施例２：
図７〜図９は第２実施例を示す。
図７に示すように、本実施例の表示器用簡易スタンドは、一方の第１サイド壁１Ａがベース２Ａに一体に形成されており、他方の第２サイド壁１Ｂを横方向Ｙの位置に選択的に固定することにより、各サイズの表示器３（図１（Ａ））に対応する。
【００２４】
図８に示すように、折り曲げ前の本スタンドは、一方の端部に第１サイド壁１Ａが一体に形成されたベース２Ａと、該ベース２Ａとは別体の第２サイド壁１Ｂとからなる。なお、図中の斜線部分は打ち抜かれた空間部分（貫通孔）を示す。
【００２５】
図９（Ａ）〜図９（Ｃ）の矢印で示すように、第１および第２サイド壁１Ａ，１Ｂおよびベース２Ａの各部を折り曲げて本スタンドの組み立てを行う。
図７に示すように、ベース２Ａには、第１および第２端部２０１，２０２を切り離すために、第１および第２のミシン目Ｍ１，Ｍ２が形成されている。表示器３のサイズによっては、必要に応じてベース２Ａの端部２０１，２０２を切り離す。たとえば、７〜８インチの表示器を支持する場合には、図７の網点部分で示す第１端部２０１を切り離し、該網点部分の第１端部２０１を切り離したベース２にサイド壁１Ｂを差し込んで固定する。
【図面の簡単な説明】
【００２６】
【図１】本考案の実施例１にかかる表示器用簡易スタンドの使用状態を示す概略斜視図である。
【図２】同簡易スタンドを示す概略斜視図である。
【図３】同簡易スタンドを構成するサイド壁およびベースを展開して示す平面図である。
【図４】サイド壁の折り重ね方法を示す概略平面図である。
【図５】図５（Ａ）は簡易スタンドの概略側面図、図５（Ｂ）〜図５（Ｅ）は同簡易スタンドの用い方を示す概略背面図である。
【図６】変形例にかかるベースを展開して示す平面図である。
【図７】本考案の実施例２にかかる表示器用簡易スタンドの使用状態を示す概略斜視図である。
【図８】同簡易スタンドを構成するサイド壁およびベースを展開して示す平面図である。
【図９】図９（Ａ）〜図９（Ｃ）は、簡易スタンドの組み立て方法を示す概略斜視図である。
【符号の説明】
【００２７】
１：サイド壁
２：ベース
１１：第１差込孔
１２：第２差込孔
２３ａ，２３ｂ：第３差込孔
２４ａ，２４ｂ：第４差込孔
Ｌ１〜Ｌ６：折曲ライン
Ｙ：横方向
【図１】
0003119570.tif 000003
【図２】
0003119570.tif 000004
【図３】
0003119570.tif 000005
【図４】
0003119570.tif 000006
【図５】
0003119570.tif 000007
【図６】
0003119570.tif 000008
【図７】
0003119570.tif 000009
【図８】
0003119570.tif 000010
【図９】
0003119570.tif 000011